(57)【要約】【課題】  簡単な構成及び設置により、自然に近い印象を与える立体的な映像及び／又は臨場感（リアリティ）のある立体的な映像を提供すること。【解決手段】  映像システムは、ストリング状の柔軟な支持部材を用いて天井又はフレーム等に柔軟に支持され、内部空間の上面及び全周囲若しくは略全周囲側面を覆い、半透明又は半透過性、且つ、風で揺れる・微動する薄くて柔らかいいシートで形成された立体的スクリーン１と、立体的スクリーン１の内部空間に設けられ、立体的スクリーン１の全周囲若しくは略全周囲にわたりコンテンツを前記立体的スクリーンの内部から映写することができるひとつ又は複数の映像装置４と、立体的スクリーン１の裾側又は下方側に設けられ、微風を立体的スクリーン１に当てることで、立体的スクリーン１に揺らぎ又は微動を生じさせる複数の送風装置５と、を備える。【選択図】図３
2017146579.tif 000002
【特許請求の範囲】
【請求項１】
映像システムであって、
ストリング状の柔軟な支持部材を用いて、天井又はフレーム又は支柱につるされ又は懸架され又は柔軟に支持され、内部空間の上面及び全周囲側面若しくは略全周囲側面を覆い、半透明又は半透過性、且つ、風で揺れる・微動する薄くて柔らかいいシートで形成された立体的スクリーンと、
前記立体的スクリーンの内部空間に設けられ、前記立体的スクリーンの全周囲若しくは略全周囲にわたりコンテンツを前記立体的スクリーンの内部から映写することができるひとつ又は複数の映像装置と、
前記立体的スクリーンの裾側又は下方側に設けられ、風の方向を、一定方向若しくは予め定められた所定の時間・周期やプログラムにより可変とすること、及び／又は、風の強さを、一定若しくは予め定められた所定の時間・周期やプログラムにより可変とすることにより、微風を前記立体的スクリーンに当てることで、前記立体的スクリーンの形状を保持すると共に前記立体的スクリーンに揺らぎ又は微動を生じさせる複数の送風装置と、
を備えた映像システム。
【請求項２】
請求項１に記載の映像システムにおいて、
前記立体的スクリーンの内部空間に前記立体的スクリーンと２重になるように設けられ、ストリング状の柔軟な支持部材を用いて、前記立体的スクリーンにつるされ又は懸架され又は柔軟に支持され、内部空間を覆い、半透明又は半透過性、且つ、風で揺れる・微動する薄くて柔らかいいシートで形成された内部立体的スクリーンを、さらに備えたことを特徴とする映像システム。
【請求項３】
映像システムであって、
ストリング状の柔軟な支持部材を用いて、天井又はフレーム又は支柱につるされ又は懸架され又は柔軟に支持され、内部空間の上面及び全周囲側面若しくは略全周囲側面を覆い、半透明又は半透過性、且つ、風で揺れる・微動する薄くて柔らかいいシートで形成された立体的スクリーンと、
前記立体的スクリーンの外側に設けられ、前記立体的スクリーンの全周囲若しくは略全周囲にわたりコンテンツを前記立体的スクリーンの外側から映写することができるひとつ又は複数の映像装置と、
前記立体的スクリーンの裾側又は下方側に設けられ、風の方向を、一定方向若しくは予め定められた所定の時間・周期やプログラムにより可変とすること、及び／又は、風の強さを、一定若しくは予め定められた所定の時間・周期やプログラムにより可変とすることにより、微風を前記立体的スクリーンに当てることで、前記立体的スクリーンの形状を保持すると共に前記立体的スクリーンに揺らぎ又は微動を生じさせる複数の送風装置と、
を備えた映像システム。
【請求項４】
請求項３に記載の映像システムにおいて、
前記立体的スクリーンの内部空間に前記立体的スクリーンと２重になるように設けられ、ストリング状の柔軟な支持部材を用いて、前記立体的スクリーンにつるされ又は懸架され又は柔軟に支持され、内部空間を覆い、半透明又は半透過性、且つ、風で揺れる・微動する薄くて柔らかいいシートで形成された内部立体的スクリーンと、
前記内部立体的スクリーンの内側に設けられ、前記内部立体的スクリーンの全周囲若しくは略全周囲にわたりコンテンツを前記内部立体的スクリーンの内側から映写することができるひとつ又は複数の他の映像装置と、
をさらに備えたことを特徴とする映像システム。
【請求項５】
請求項１乃至４のいずれかに記載の映像システムにおいて、
前記立体的スクリーンは、蚊帳状、ドーム状、半球又は球の一部、楕円球又は楕円球の一部、円錐形、逆さにしたお椀形、山形、のいずれかの形状とすることを特徴とする映像システム。
【請求項６】
請求項１乃至５のいずれかに記載の映像システムにおいて、
前記立体的スクリーンの素材は、人工的に生成された蜘蛛の糸による布・人工的に生成された蜘蛛の糸のような糸による布・シルク・オーガンザ・薄くやや透ける布・レーヨン・ビニール・ポリエチレン・その他の化学素材、又は、和紙・不織布・その他の天然素材、又は、これらの複数を組み合わせたもの、であることを特徴とする映像システム。
【請求項７】
請求項１乃至６のいずれかに記載の映像システムにおいて、
前記映像装置の画像のオンオフ若しくは選択・切替、及び／又は、前記送風装置による風の強弱及び／又は方向を制御する制御装置を、
さらに備えたことを特徴とする映像システム。
【請求項８】
請求項７に記載の映像システムにおいて、
前記制御装置は、前記映像装置による映像と、前記送風装置による風を同期して制御することを特徴とする映像システム。
【請求項９】
映像方法であって、
ストリング状の柔軟な支持部材を用いて、天井又はフレーム又は支柱につるされ又は懸架され又は柔軟に支持され、内部空間の上面及び全周囲側面若しくは略全周囲側面を覆い、半透明又は半透過性、且つ、風で揺れる・微動する薄くて柔らかいいシートで形成された立体的スクリーンを提供し、
ひとつ又は複数の映像装置により、前記立体的スクリーンの内部空間及び／又は外側に設けられ、前記立体的スクリーンの全周囲若しくは略全周囲にわたりコンテンツを前記立体的スクリーンの内部及び／又は外側から映写し、
前記立体的スクリーンの裾側又は下方側に設けられた複数の送風装置により、風の方向を、一定方向若しくは予め定められた所定の時間・周期やプログラムにより可変とすること、及び／又は、風の強さを、一定若しくは予め定められた所定の時間・周期やプログラムにより可変とすることにより、微風を前記立体的スクリーンに当てることで、前記立体的スクリーンの形状を保持すると共に前記立体的スクリーンに揺らぎ又は微動を生じさせる、
映像方法。
【発明の詳細な説明】
【技術分野】
【０００１】
本発明は、映像システム及び映像方法に関する。
【背景技術】
【０００２】
従来技術として、特許文献１には、「ビデオカメラ等を複数台使用して風景等のマルチスクリーン用パノラマ映像を撮影したとき、映像のダブリや欠落部が無く画面と画面がまたぐ部分で連続性が保たれる映像を撮影する」（要約）ようにした、マルチスクリーン用シームレスパノラマ映像撮影装置が記載されている。また、特許文献２には、「スクリーンを水槽等に充填した液体、流動する液体、又は害液体より発生する霧部分をスクリーンとして直接、又は間接的にプロジェクターを用いて自然の風景等を投影するとともに該投影した映像を液体の流れ、又は霧の揺れを利用して幻想的な映像美とする」（要約）ようにした、スクリーンへの映像システムが記載されている。
【先行技術文献】
【特許文献】
【０００３】
【特許文献１】特開平９−１９７５８２号公報
【特許文献２】特開２０１４−２１４８２号公報
【発明の概要】
【発明が解決しようとする課題】
【０００４】
近年、特許文献１のようなマルチスクリーン用映像技術を用い、複数のプロジェクターで巨大なスクリーンに映像を投影して、鮮明な映像空間を作り出す技術がある。一般に、マルチスクリーンによって大きく広範囲の映像を作りだすことで、臨場感のある映像が、ある程度は期待できる。しかしながら、自然現象としては、風等による揺らぎや地面等の微振動等が想定され、単なる無機質な映像ではなく、より実際の自然に近い状況を再現する技術が望まれる。そこで、特許文献２では、液体の流れ又は霧の揺れを利用して幻想的な映像を提供しようとするものであるが、スクリーン自体が、水を循環するために複雑な構造となり、また、映像としても平面映像に適用するのみで、大きい広範囲の立体的な映像に適用することは難しい。
【０００５】
本発明は、以上の点に鑑み、簡単な構成及び設置により、自然に近い印象を与える立体的な映像及び／又は臨場感（リアリティ）のある立体的な映像を提供することを目的とする。
【課題を解決するための手段】
【０００６】
本発明の第１の解決手段によると、
映像システムであって、
ストリング状の柔軟な支持部材を用いて、天井又はフレーム又は支柱につるされ又は懸架され又は柔軟に支持され、内部空間の上面及び全周囲側面若しくは略全周囲側面を覆い、半透明又は半透過性、且つ、風で揺れる・微動する薄くて柔らかいいシートで形成された立体的スクリーンと、
前記立体的スクリーンの内部空間に設けられ、前記立体的スクリーンの全周囲若しくは略全周囲にわたりコンテンツを前記立体的スクリーンの内部から映写することができるひとつ又は複数の映像装置と、
前記立体的スクリーンの裾側又は下方側に設けられ、風の方向を、一定方向若しくは予め定められた所定の時間・周期やプログラムにより可変とすること、及び／又は、風の強さを、一定若しくは予め定められた所定の時間・周期やプログラムにより可変とすることにより、微風を前記立体的スクリーンに当てることで、前記立体的スクリーンの形状を保持すると共に前記立体的スクリーンに揺らぎ又は微動を生じさせる複数の送風装置と、
を備えた映像システムが提供される。
【０００７】
本発明の第２の解決手段によると、
映像方法であって、
ストリング状の柔軟な支持部材を用いて、天井又はフレーム又は支柱につるされ又は懸架され又は柔軟に支持され、内部空間の上面及び全周囲側面若しくは略全周囲側面を覆い、半透明又は半透過性、且つ、風で揺れる・微動する薄くて柔らかいいシートで形成された立体的スクリーンを提供し、
ひとつ又は複数の映像装置により、前記立体的スクリーンの内部空間及び／又は外側に設けられ、前記立体的スクリーンの全周囲若しくは略全周囲にわたりコンテンツを前記立体的スクリーンの内部及び／又は外側から映写し、
前記立体的スクリーンの裾側又は下方側に設けられた複数の送風装置により、風の方向を、一定方向若しくは予め定められた所定の時間・周期やプログラムにより可変とすること、及び／又は、風の強さを、一定若しくは予め定められた所定の時間・周期やプログラムにより可変とすることにより、微風を前記立体的スクリーンに当てることで、前記立体的スクリーンの形状を保持すると共に前記立体的スクリーンに揺らぎ又は微動を生じさせる、
映像方法が提供される。
本発明の第３の解決手段によると、
映像システムであって、
ストリング状の柔軟な支持部材を用いて、天井又はフレーム又は支柱につるされ又は懸架され又は柔軟に支持され、内部空間の上面及び全周囲側面若しくは略全周囲側面を覆い、半透明又は半透過性、且つ、風で揺れる・微動する薄くて柔らかいいシートで形成された立体的スクリーンと、
前記立体的スクリーンの外側に設けられ、前記立体的スクリーンの全周囲若しくは略全周囲にわたりコンテンツを前記立体的スクリーンの外側から映写することができるひとつ又は複数の映像装置と、
前記立体的スクリーンの裾側又は下方側に設けられ、風の方向を、一定方向若しくは予め定められた所定の時間・周期やプログラムにより可変とすること、及び／又は、風の強さを、一定若しくは予め定められた所定の時間・周期やプログラムにより可変とすることにより、微風を前記立体的スクリーンに当てることで、前記立体的スクリーンの形状を保持すると共に前記立体的スクリーンに揺らぎ又は微動を生じさせる複数の送風装置と、
を備えた映像システムが提供される。
【発明の効果】
【０００８】
本発明によると、簡単な構成及び設置により、自然に近い印象を与える立体的な映像及び／又は臨場感（リアリティ）のある立体的な映像を提供することができる。
【図面の簡単な説明】
【０００９】
【図１】映像システムの立体的スクリーンの側面方向からの説明図。
【図２】映像システムの立体的スクリーンの上方向からの説明図。
【図３】第１の実施形態の映像システムの内部構成の側面方向からの説明図。
【図４】第１の実施形態の映像システムの内部構成の上方向からの説明図。
【図５】映像装置の変形例１の内部構成の側面方向からの説明図。
【図６】映像装置の変形例２の内部構成の上方向からの説明図。
【図７】第２の実施形態の映像システムの内部構成の側面方向からの説明図。
【図８】第２の実施形態の映像システムの内部構成の上方向からの説明図。
【図９】第２の実施形態の映像システムの変形例１の内部構成の側面方向からの説明図。
【図１０】第２の実施形態の映像システムの変形例２の内部構成の側面方向からの説明図。
【図１１】第２の実施形態の映像システムの変形例３の内部構成の上方向からの説明図。
【図１２】第２の実施形態の映像システムの変形例４の内部構成の側面方向からの説明図。
【図１３】第２の実施形態の映像システムの変形例５の内部構成の側面方向からの説明図。
【図１４】第２の実施形態の映像システムの変形例６の内部構成の側面方向からの説明図。
【発明を実施するための形態】
【００１０】
Ａ．第１の実施形態の映像システム
図１に、映像システムの立体的スクリーンの側面方向からの説明図を示す。また、図２に、映像システムの立体的スクリーンの上方向からの説明図を示す。
以下に、図を参照して、立体的スクリーン１について説明する。
立体的スクリーン１は、形状は、空洞の内部の空間の上面と、平面に対して３６０度の（全周囲）側面とを覆う立体的な形状である。この形状は、例えば、蚊帳状、ドーム状（エアドーム等）、半球又は球の一部、楕円球又は楕円球の一部の形状とすることができる。立体的スクリーン１のサイズも、適宜の大きさとすることができる。
立体的スクリーン１は、例えば、複数のシート（セル）を、張込み（貼込み）等により接合・接着して、曲線上の接着・接合ラインにより曲面部を形成することで、丸みを持った立体空間を確保するように形成される（例えば、紙風船のような構造を参照してもよい）。なお、形状をある程度保つために、比較的厚いフレーム状のシート部分や、比較的固いフレーム状のシート部分等を含んでもよい。また、適宜のフレームを用いて、形状を保つようにしてもよい。
【００１１】
立体的スクリーン1の素材は、半透明（半透過性）で、薄く柔らかい（ソフトな）布又は布状のシートを用いる。素材の特性としては、半透明（半透過性）のため、空間内部から映写（投影）した映像が、内側からも外側からも観ることができるものであり、且つ、風で揺れる・微動する（微振動等も含む。）する必要がある。また、素材は、破れにくい丈夫な、目の細かいものが好ましい。
素材としては、例えば、人工的に生成された蜘蛛の糸による布、人工的に生成された蜘蛛の糸のような糸による布、シルク、オーガンザ、薄くやや透ける布、レーヨン、ビニール、ポリエチレン等の化学素材、和紙、不織布等の天然素材、又は、これらの複数を組み合わせたもの、など、適宜のものを用いることができる。
なお、立体的スクリーン１は、例えば内部に人や機材等が通れるように、開口部、出入口、隙間等を適宜の箇所に設けるようにしてもよいし、平面的に覆っている周囲の一部を空けるなど、略全周囲を覆う構成としてもよい。
【００１２】
立体的スクリーン１の設置方法としては、例えば、ストリング状の柔軟な支持部材２を用いて、立体的スクリーン１の表面の内側又は外側に設けられた複数の支持部１１で、天井（又はフレーム等）３に、つるす・懸架する等により柔軟に支持することができる。ここで、立体的スクリーン１は、固定されず、風で揺れる・微動する・振動（微振動）するように取付けられる。なお、ストリング状の支持部材２は、糸状、ひも状、帯状の部材の他にも、糸ゴム状、紐ゴム状、テープ状等の適宜のゴム等の弾性伸縮部材を用いてもよい。また、天井（又はフレーム等）３の他にも、立体的スクリーン１の上及び／又は横に設置された支柱等に支持するようにしてもよい。
【００１３】
図３に、第１の実施形態の映像システムの内部構成の側面方向からの説明図を示す。また、図４に、第１の実施形態の映像システムの内部構成の上方向からの説明図を示す。
映像システムは、立体的スクリーン１の他、映像装置４、送風装置５、制御装置６を備える。
【００１４】
以下に、映像装置４について説明する。
映像装置４は、立体的スクリーン１の内側の空間に設けられる。ひとつ又は複数の映像装置４を用いることで、内側から立体的スクリーン１に向けてコンテンツを映写（投影）する。映像装置４としては、平面的に３６０度（全周囲）にわたりコンテンツを映写することができる映像装置を用いても、その一部（略全周囲）を映写する映像装置を用いてもよい。この実施形態では、ひとつの映像装置４で、例えば、魚眼レンズ等を利用することで、３６０度にわたりコンテンツを映写することができる。また、複数の映像装置４を備えることにより、２つ以上のコンテンツをダブらせてスクリーンに映写することもできる。
映像装置４の設置方法は、この実施形態では床面等の下の面から支柱やフレーム等を用いて、適宜設置することができる。なお、後述のように、映像装置４を、天井やフレーム等により上方から支持するなど、適宜設置するようにしてもよい。
【００１５】
つぎに、送風装置５について説明する。
本実施形態では、複数の送風装置５を用い、微風を立体的スクリーン１に当てることで、立体的スクリーン１に揺らぎ又は微動生じさせる。送風装置５は、例えば、立体的スクリーン１の裾側・下方側に設けられ、上方に向けてエアを送風する。また、送風装置５から送風されるエアーにより、立体的スクリーン１の形状を（例えば、エアドーム等のように）確保することができる。なお、送風装置５は、適宜の数設けることができる。この例では、立体的スクリーン１の裾部を挟むように両側に設置されているが、これに限らず、内側又は外側の一方のみ設けるようにしたり、位置により内側と外側を互い違いになるように適宜設けるようにしてもよい。なお、図示の例では、立体的スクリーン１の裾部は、床面等から離れているが、ストリング等の支持部材、おもり等の適宜の手段を用いて床面や適宜の支持部等と支持されるようにしてもよい。
【００１６】
送風装置５としては、様々な適宜のものを用いることができる。例えば、送風装置５の上面及び／又は側面に、ひとつ又は複数の送風口や送風パイプ等を設けて、エアーを上向きに送風することができる。また、送風口又は送風パイプの方向・形状等により方向及び強さを一定設定又は可変設定とするようにしてもよい。また、送風装置５には、例えば、ファン、扇風機等を用いることができ、さらに、首振り機能の付いたものを用いてもよい。風の方向は、一定方向でもよいし、予め定められた所定の時間・周期やプログラム等により方向を変えるような方向制御機構を備えてもよい。また、風の強さも、一定でもよいし、予め定められた所定の時間・周期やプログラム等により可変とする強弱機能を備えてもよい。なお、送風装置５は、回転又は移動するスリット機構を備え、送風の方向及び／強さを変化させるようにしてもよい。
【００１７】
制御装置６は、映像装置４のオンオフ、コンテンツ切替・選択等の制御、及び、送風装置５のオンオフ、強弱、方向、パターン等の制御を行う。この場合、マニュアルで制御してもよいし、自動に制御してもよい。また、制御装置６は、映像装置４による映像に合わせて（同期して）、送風装置５の送風方向・強弱を制御することもできる。
【００１８】
Ｂ．映像装置の変形例
以下に、変形例について説明する。なお、図中、送風装置５及び制御装置６等は省略されている。
図５に、映像装置の変形例１の内部構成の側面方向からの説明図を示す。
変形例１では、映像装置４の設置方法について示したものである。図示のように、立体的スクリーン１の内部に天井（又はフレーム等）３により上方から支持すること、立体的スクリーン１の外部に天井（又はフレーム等）３から支持すること、床から支持することなど、ひとつ又は複数の映像装置４を適宜設置するようにしてもよい。
【００１９】
図６に、映像装置の変形例２の内部構成の上方向からの説明図を示す。
変形例２は、映像装置４を複数備え、各映像装置４が、例えば、１２０度ずつの映像を映写し、全体で３６０度の映像を立体的スクリーン１に映すようにしたものである。映像装置４の数及び映写範囲は適宜定めることができる。このようなマルチスクリーン用映像技術は、例えば特許文献１等に記載されている。
【００２０】
Ｃ．第２の実施形態の映像システム
図７に、第２の実施形態の映像システムの内部構成の側面方向からの説明図を示す。
また、図８に、第２の実施形態の映像システムの内部構成の上方向からの説明図を示す。
【００２１】
第２の実施形態の映像システムは、主に、図示のように、立体的スクリーン１の内側に、さらにもう一つの内部立体的スクリーン１０１を設けて、２重立体的スクリーンを形成するようにしたものである。内部立体的スクリーン１０１の形状・素材等は、立体的スクリーン１と同様である。また、図示のように、内部立体的スクリーン１０１は、床面まで裾部が伸びずに、立体的スクリーン１の上方側のみに設けることができる。なお、内部立体的スクリーン１０１裾部は床部等まで伸びるようにしてもよい。立体的スクリーン１０１の設置方法としては、例えば、ストリング状の支持部材１０２を用いて、立体的スクリーン１の内側又は外側に設けられた複数の支持部１１を介して、支持部１１１及びストリング状の支持部材１０２により、天井（又はフレーム等）３又は立体的スクリーン１等に、つるす・懸架する等により支持することができる。なお、支持部材１０２は、立体的スクリーン１を天井（又はフレーム等）３に支持するものを共用しても、別個のものを用いてもよい。内部立体的スクリーン１０１には、特に送風装置５でエアーを送風しなくても、支持部材１０２により立体的スクリーン１の揺れ・微動が伝達されて、揺れ・微動する。なお、内部立体的スクリーン１０１にエアーを送風するための送風装置５を別途設けてもよい。
映像装置４は、図示のように、立体的スクリーン１と内部立体的スクリーン１０１の間に設けるようにしてもよく、この場合、立体的スクリーン１と内部立体的スクリーン１０１には、同じコンテンツを映写してもよいし、別個のコンテンツを映写することもできる。また、映像装置４は、第１の実施形態のように、立体的スクリーン１と内部立体的スクリーン１０１の両方の内側・中心付近等に適宜配置してもよく、この場合、立体的スクリーン１と内部立体的スクリーン１０１で、同じコンテンツを透過するように映写することができる。
なお、立体的スクリーン１、映像装置４、送風装置５、制御装置６、その他については、第１の実施形態と同様とすることができる。
【００２２】
図９に、第２の実施形態の映像システムの変形例１の内部構成の側面方向からの説明図を示す。
第２の実施形態の映像システムの変形例１では、映像装置４としては、水平面に対して３６０度（全周囲）、垂直面に対して１８０度（上部）若しくは１８０度以上にわたりコンテンツを映写することができる映像装置４を用いてもよいし、その一部（水平面に対して略全周囲、及び／又は、垂直面に対して１８０度以下の予め定められた範囲）を映写する映像装置４を用いてもよい。映像装置４は、例えば、魚眼レンズ等が用いることができる。
【００２３】
図１０に、第２の実施形態の映像システムの変形例２の内部構成の側面方向からの説明図を示す。
第２の実施形態の映像システムの変形例２では、変形例１と同様の魚眼レンズ等による映像装置を用い、立体的スクリーン１に全周囲に渡り投影するための映像装置４ｏｕｔと、内部立体的スクリーン１０１に全周囲に渡り投影するための映像装置４ｉｎを備え、映像装置４ｏｕｔと映像装置４ｉｎの高低差を設ける。床に垂直な面に対して、映像装置４ｏｕｔは広範囲に投影可能とし、一方、映像装置４ｉｎは、映像装置４ｏｕｔより狭い範囲に投影可能とし、映像装置４ｏｕｔと映像装置４ｉｎの映像が相互にできるだけ干渉しないように（妨げられないように）配置するとよい。
なお、変形例２において、水平面に対して３６０度（全周囲）、垂直面に対して１８０度（上部）若しくは１８０度以上にわたりコンテンツを映写することができる映像装置４ｉｎ及び４ｏｕｔを用いてもよいし、その一部（水平面に対して略全周囲、及び／又は、垂直面に対して１８０度以下の予め定められた範囲）を映写する映像装置４ｉｎ及び４ｏｕｔを用いてもよい。
【００２４】
図１１に、第２の実施形態の映像システムの変形例３の内部構成の上方向からの説明図を示す。
第２の実施形態の映像システムの変形例３では、複数の映像装置４ａは立体的スクリーン１を投影するように焦点が設定され、複数の映像装置４ｂは内部立体的スクリーン１０１を投影するように焦点が設定される。この場合、例えば、内部立体的スクリーン１０１としては、複数の映像装置４ａからの映像が一部透けて立体的スクリーン１に投影されるような目の粗さのシートを用いるようにすればよい。また、この例では、複数の映像装置４ａ又は４ｂが、それぞれ、例えば、１２０度ずつの映像を映写し、コンピュータ処理により合成することで、全体で水平面に対し３６０度の映像を立体的スクリーン１に映すようにしたものである。なお、映像装置の個数は適宜定めることができる。
【００２５】
図１２に、第２の実施形態の映像システムの変形例４の内部構成の側面方向からの説明図を示す。
変形例４では、特に、立体的スクリーン１の形状を、円錐形、逆さにしたお椀形、山形等の適宜の形状のように、裾部分を広げて垂直面に対して角度をつけたものである。この場合、例えば、立体的スクリーン１の裾部分を床等にストリング等の支持部材で設置することで、形状を保持することができる。内部立体的スクリーン１０１は、第1の実施形態で説明したように、適宜の形状とすることができる。
変形例４では、変形例１と同様の魚眼レンズ等による映像装置を用い、立体的スクリーン１に投影するためのスクリーンの外側の上部中心又は中心付近に設置され水平面に対して全周囲を投影する映像装置４ｏｕｔと、内部立体的スクリーン１０１に投影するための内側中心付近に設置され水平面に対して全周囲を投影する映像装置４ｉｎを備える。なお、水平面に対して３６０度（全周囲）、垂直面に対して１８０度（上部）若しくは１８０度以上にわたりコンテンツを映写することができる映像装置４ｉｎ及び４ｏｕｔを用いてもよいし、その一部（水平面に対して略全周囲、及び／又は、垂直面に対して１８０度以下の予め定められた範囲）を映写する映像装置４ｉｎ及び４ｏｕｔを用いてもよい。
【００２６】
図１３に、第２の実施形態の映像システムの変形例５の内部構成の側面方向からの説明図を示す。
変形例５では、変形例４と同様の立体的スクリーン１及び内部立体的スクリーン１０１の構成を用いる。変形例５では、立体的スクリーン１に投影するためのスクリーン内側に設置された複数の映像装置４ｏｕｔと、変形例１と同様の魚眼レンズ等による映像装置を用いて内部立体的スクリーン１０１に投影するためのスクリーン内側に設置され全周囲を投影する映像装置４ｉｎを備える。複数の映像装置４ｏｕｔが、例えば、１２０度ずつに分割されたひとつの映像を構成する各映像を映写し、コンピュータ処理により各分割映像を合成することで、全体で３６０度（全周囲）の映像を立体的スクリーン１に映すようにしたものである。ここで、水平面に対して３６０度（全周囲）、垂直面に対して１８０度（上部）若しくは１８０度以上にわたりコンテンツを映写することができる映像装置４ｏｕｔ又は４ｉｎを用いてもよいし、その一部（水平面に対して略全周囲、及び／又は、垂直面に対して１８０度以下の予め定められた範囲）を映写する映像装置４ｏｕｔ又は４ｉｎを用いてもよい。なお、映像装置の個数は適宜定めることができる。
【００２７】
図１４に、第２の実施形態の映像システムの変形例６の内部構成の側面方向からの説明図を示す。
変形例６では、変形例４と同様の立体的スクリーン１及び内部立体的スクリーン１０１の構成を用いる。変形例６では、立体的スクリーン１に投影するためのスクリーン外側に設置され全周囲を複数の映像装置４ｏｕｔと、変形例１と同様の魚眼レンズ等による映像装置を用いて内部立体的スクリーン１０１に投影するためのスクリーン内側に設置された映像装置４ｉｎを備える。複数の映像装置４ｏｕｔが、例えば、１２０度ずつに分割されたひとつの映像を構成する各映像を映写し、コンピュータ処理により各分割映像を合成することで、全体で３６０度（全周囲）の映像を立体的スクリーン１に映すようにしたものである。ここで、水平面に対して３６０度（全周囲）、垂直面に対して１８０度（上部）若しくは１８０度以上にわたりコンテンツを映写することができる映像装置４ｏｕｔ又は４ｉｎを用いてもよいし、その一部（水平面に対して略全周囲、及び／又は、垂直面に対して１８０度以下の予め定められた範囲）を映写する映像装置４ｏｕｔ又は４ｉｎを用いてもよい。なお、映像装置の個数は適宜定めることができる。
【００２８】
Ｄ．第１及び第２実施形態の補足説明
（１）  第１の実施形態の説明において、「立体的スクリーン１は、形状は、空洞の内部の空間の上面と、平面に対して３６０度の（全周囲）側面とを覆う立体的な形状である」旨を説明した。この内容に関して、このような立体的スクリーン１の形状については、一例として、「蚊帳状、ドーム状（エアドーム等）、半球又は球の一部、楕円球又は楕円球の一部の形状、とすることができる」旨を記載したが、これらの他にも、例えば、円錐形、逆さにしたお椀形、山形、等の適宜の形状も含むことができる。第２の実施形態において、内部立体的スクリーン１０１も、同様である。なお、立体的スクリーン、内部立体的スクリーンは、それぞれ、立体スクリーン、内部立体スクリーンと呼んでもよい。
（２）  第１の実施形態の説明において、映像装置４としては、平面的に３６０度（全周囲）にわたりコンテンツを映写することができる映像装置を用いても、その一部（略全周囲）を映写する映像装置を用いてもよい。この実施形態では、ひとつの映像装置４で、例えば、魚眼レンズ等を利用することで、３６０度にわたりコンテンツを映写することができる」旨を説明した。この内容に関して、より詳細には、ひとつの映像装置４を用いる場合、水平面に対して３６０度（全周囲）、垂直面に対して１８０度（上部）若しくは垂直面に対して１８０度以上の予め定められた範囲にわたりコンテンツを映写することができる映像装置を用いてもよいし、その一部（水平面に対して略全周囲、及び／又は、垂直面に対して１８０度以下の予め定められた範囲）を映写する映像装置を用いてもよい。第２の実施形態における映像装置も同様である。
また、第１及び第２の実施形態において、図５及びその説明箇所等でも映像装置４の設定方法について説明したが、ひとつ又は複数の映像装置４を、立体的スクリーン１又は内部立体的スクリーン１０１の内部空間及び／又は外側の適宜の位置に設け、立体的スクリーン１又は内部立体的スクリーン１０１の全周囲若しくは略全周囲若しくは適宜の範囲にわたり、コンテンツを立体的スクリーン１又は内部立体的スクリーン１０１の内部及び／又は外側から適宜映写することができる。
【００２９】
（３）立体的スクリーン1の素材の一例として、「人工的に生成された蜘蛛の糸による布、人工的に生成された蜘蛛の糸のような糸による布」を挙げた。このような糸に関しては、特に、人工的に生成した蜘蛛の糸又は人口合成した蜘蛛の糸等を表し、例えば、強度・張力、太さ・細さ、成分・化学的構造・化学式・分子構造等のいずれか複数の特性・特徴・性質などについて、蜘蛛の糸と同一若しくは類似である糸又は蜘蛛の糸を模擬した（若しくは、まねた）糸とすることができる。特性・特徴・性質としては、他にも、例えば、色・透明度、表面の状態等を含めてもよい。内部立体的スクリーン１０１の素材についても同様である。
（４）第２の実施形態において、立体的スクリーン及び内部立体的スクリーンを３重以上に複数設けるようにしてもよい。この場合、立体的スクリーン及び内部立体的スクリーンの各々に対応して映像装置を複数設けるようにしてもよいし、立体的スクリーン及び内部立体的スクリーンのいくつかに共通にひとつ又は複数の複数の映像装置を設けるようにしてもよい。
【００３０】
Ｅ．映写例
映像ソフト、コンテンツは、動画でも静止画でもよい。例えば、クラゲや花や２重虹等のような２重立体構造の映像を映写する場合、第１の実施形態の映像システムでも立体的な映像を楽しむこともできるし、特に第２の実施形態の映像システムを用いると、クラゲや花や２重虹等の２重構造の様子をさらに一層楽しむことができる。このほか、立体的スクリーン１又は内部立体的スクリーン１０１と内部立体的スクリーン１０１の２重立体的スクリーンの形状・特性等を生かして、ビルディング、家、コロッセオ等のスタジアム・競技場、様々な建造物を映写して立体的スクリーン１又は内部立体的スクリーン１０１と内部立体的スクリーン１０１の２重立体的スクリーンの外側から観察することができる。他にも、これらの内側の映像や、恐竜・クジラ等の動物の口の中の映像など、内部映像を映写して、立体的スクリーン１又は内部立体的スクリーン１０１と内部立体的スクリーン１０１の２重立体的スクリーンの内側から観察することもできる。
【００３１】
Ｆ．本発明及び／又は本実施形態の効果
本発明及び／又は本実施形態によると、例えば、以下のような顕著な効果を奏する。
・簡単な構造で、軽量のドーム状の「立体的スクリーン（３Ｄスクリーン）」を構築でき、設置も簡単である。
・立体的スクリーンが薄く軽く、簡単な設置手法で、様々な立体方向に揺れ・微動を生じることができ、平面的又は固定的な揺れ・微動を生じる従来の構造より、一層自然に近いリアリティを再現できる。
・立体的スクリーンは、シート状・布状であり、軽量なので、加工性の富むものなので、例えば映写する対象に応じて、適宜の形状にシートをカットすることで、いろいろな立体形状の立体的スクリーンを生成することができ、また、これにより映像コンテンツ（映像対象）の汎用性に富む。
・立体的スクリーンは、半透明（半透過性）であるため、立体的スクリーンの外側から立体的な映像を楽しむことができる。さらにこれ以外にも、立体的スクリーンの内部空間に入って、内側からも、立体的な映像を楽しむことができる。
・映像装置は、立体的スクリーンの裏側から映写する方式をとり、外側から映像を見る場合に、機器・装置等が露出したり、それにより映像が妨害されないため、簡単にリアルな臨場観のある立体的映像を立体的スクリーンに提供することができる。
・立体的スクリーン１と内部立体的スクリーン１０１とを設けた２重立体的スクリーンにより、さらに奥行きのある映像を楽しむことができる。立体的スクリーン１と内部立体的スクリーン１０１に対して、同じコンテンツを透過するように映写することもできるし、別個のコンテンツを映写することもできる。
【符号の説明】
【００３２】
１    立体的スクリーン
１０１  内部立体的スクリーン
２、１０２  支持部材
１１、１１１    支持部
３    天井（又はフレーム等）
４    映像装置
５    送風装置
６    制御装置
【図１】
2017146579.tif 000003
【図２】
2017146579.tif 000004
【図３】
2017146579.tif 000005
【図４】
2017146579.tif 000006
【図５】
2017146579.tif 000007
【図６】
2017146579.tif 000008
【図７】
2017146579.tif 000009
【図８】
2017146579.tif 000010
【図９】
2017146579.tif 000011
【図１０】
2017146579.tif 000012
【図１１】
2017146579.tif 000013
【図１２】
2017146579.tif 000014
【図１３】
2017146579.tif 000015
【図１４】
2017146579.tif 000016